(57)【特許請求の範囲】
【請求項１】
医療検査に利用される医用画像診断装置であって、
前記医療検査のためのユーザ操作を受け付けるユーザ操作入力部と、
前記ユーザ操作入力部にユーザ操作が入力されたことを契機として前記入力されたユーザ操作の識別情報をリアルタイムで生成する生成部と、
前記生成された識別情報と前記ユーザ操作についての情報入力欄とを表示画面にリアルタイムで表示する表示部と、
を具備する医用画像診断装置。
【請求項２】
前記入力されたユーザ操作についての不具合情報を、ユーザからの指示に従って入力する不具合情報入力部、をさらに備え、
前記表示部は、前記入力された不具合情報を前記情報入力欄に表示する、
請求項１記載の医用画像診断装置。
【請求項３】
前記表示部は、前記ユーザ操作が前記ユーザ操作入力部に入力される毎に、前記入力されたユーザ操作の識別情報と前記情報入力欄とを前記入力されたユーザ操作毎に対応づけて表示する、請求項２記載の医用画像診断装置。
【請求項４】
前記入力された不具合情報と前記生成された識別情報とを関連付けて記憶する記憶部、をさらに備える請求項２記載の医用画像診断装置。
【請求項５】
前記表示部は、ユーザからの指示がなされたことを契機として、前記記憶部から前記不具合情報と前記識別情報とを読み出して表示する、請求項４記載の医用画像診断装置。
【請求項６】
ユーザからの指示がなされたことを契機として、前記記憶部から前記不具合情報と前記識別情報とを読み出して記憶媒体に書き込む書き込み部、をさらに備える請求項４記載の医用画像診断装置。
【請求項７】
前記表示部は、ユーザからの指示に従うレイアウトで前記識別情報を表示する、請求項１記載の医用画像診断装置。
【請求項８】
前記ユーザ操作は、詳細度に応じて複数の階層に属し、
前記表示部は、前記入力されたユーザ操作に対応する識別情報を、前記複数の階層のうちの、ユーザからの指示に応じた階層で表示する、
請求項１記載の医用画像診断装置。
【請求項９】
前記識別情報は、前記ユーザ操作の名称または識別子である、請求項１記載の医用画像診断装置。
【請求項１０】
前記不具合情報は、前記ユーザ操作の不具合の状況を表現する文字列、マーク、画像、及び選択肢の少なくとも一つを含む、請求項２記載の医用画像診断装置。
【請求項１１】
前記表示部は、前記生成された識別情報と前記情報入力欄とを前記医療検査のためのアプリケーションの表示領域とともに前記表示画面にリアルタイムで表示する、請求項１記載の医用画像診断装置。
【請求項１２】
ユーザ操作を受け付けるユーザ操作入力部と、
前記ユーザ操作入力部にユーザ操作が入力されたことを契機として前記入力されたユーザ操作の識別情報をリアルタイムで生成する生成部と、
前記入力されたユーザ操作の不具合の状況に関する不具合情報を、ユーザからの指示に従って入力する不具合情報入力部と、
前記生成された識別情報と前記入力された不具合情報とをユーザ操作毎に関連付けて記憶する記憶部と、
前記生成された識別情報と前記入力された不具合情報とを表示画面にリアルタイムで表示する表示部と、
を具備する操作情報記録装置。
【発明の詳細な説明】
【技術分野】
【０００１】
本発明の実施形態は、医用画像診断装置及び操作情報記録装置に関する。
【背景技術】
【０００２】
病院等において医用画像診断装置が使用されている。医用画像診断装置に不具合が発生した場合、ユーザは、サービスマンに連絡し、医用画像診断装置の設置場所にて修理をしてもらう。サービスマンは、ユーザに不具合発生時の状況を聞き取って修理する。その場で修理できない場合、ユーザへの聞き取りの結果や医用画像診断装置の操作ログ等の情報を持ち帰り、詳細な調査を行っている。医用画像診断装置の設置場所に行けない場合、サービスマンは、ユーザに不具合発生時の状況を聞き取ることができない。また、設置場所に行くまでに時間がかかってしまった場合、ユーザが不具合発生時の状況を思い出しづらく、サービスマンは、不具合発生時の状況を理解しにくい。
【先行技術文献】
【特許文献】
【０００３】
【特許文献１】特開２０１０―１５７０７６号公報
【特許文献２】特開２０１０―１４６４８３号公報
【特許文献３】特開２００９―７５６３３号公報
【発明の概要】
【発明が解決しようとする課題】
【０００４】
目的は、不具合発生時の状況を正確に伝えることが可能な医用画像診断装置及び操作情報記録装置を提供することにある。
【課題を解決するための手段】
【０００５】
本実施形態に係る医用画像診断装置は、医療検査に利用される医用画像診断装置であって、前記医療検査のためのユーザ操作を受け付けるユーザ操作入力部と、前記ユーザ操作入力部にユーザ操作が入力されたことを契機として前記入力されたユーザ操作の識別情報をリアルタイムで生成する生成部と、前記生成された識別情報と前記ユーザ操作についての情報入力欄とを表示画面にリアルタイムで表示する表示部と、を具備する。
【図面の簡単な説明】
【０００６】
【図１】本実施形態に係る医用画像診断装置の典型的な使用場面を概略的に示す図。
【図２】本実施形態に係る医用画像診断装置の主要機能のブロック図。
【図３】図２の操作情報生成部により階層化されているユーザ操作の一覧を示す図。
【図４】図２の表示部により表示される表示画面の表示レイアウトの一例を示す図。
【図５】図２の表示部により表示されるユーザ操作領域の表示例を示す図であり、スクロールバーのスライダのスライドに伴うユーザ操作領域内の表示範囲の変化を示す図。
【図６】図２の表示部により表示される表示画面の表示レイアウトであって、視認性を向上させるための表示レイアウトの一例を示す図。
【図７】図２の表示部により表示される表示画面の表示レイアウトであって、１階層目のユーザ操作のみを表示する例を示す図。
【図８】図２の表示部により表示される表示画面の表示レイアウトであって、２階層目のユーザ操作までを表示する例を示す図。
【図９】図２の表示部により表示される表示画面の表示レイアウトであって、３階層目のユーザ操作までを表示する例を示す図。
【図１０】図２の表示部により表示される不具合レポートの再表示のための操作パネルの一例を示す図。
【図１１】図１０の操作パネルの操作時における表示画面の変化を示す図。
【図１２】図１０の操作パネルの操作時における表示画面の変化を示す他の図。
【発明を実施するための形態】
【０００７】
以下、図面を参照しながら本実施形態に係わる医用画像診断装置及び操作情報記録装置を説明する。
【０００８】
図１は、本実施形態に係る医用画像診断装置の典型的な使用場面を概略的に示す図である。なお、本実施形態に係る医用画像診断装置は、病院に設置されているものとする。本実施形態に係る医用画像診断装置は、Ｘ線診断装置、Ｘ線コンピュータ断層撮影装置、磁気共鳴イメージング装置、超音波診断装置、核医学診断装置等の医療に利用されるあらゆるモダリティに適用可能である。
【０００９】
ユーザは、病院において、医療検査のために本実施形態に係る医用画像診断装置を使用しているものとする。そして本実施形態に係る医用画像診断装置の使用中にユーザ操作に関する不具合が発生したとする（ステップＳ１）。この際、医用画像診断装置は、後述する不具合記録処理を利用して不具合を記録する（ステップＳ２）。後述のように、ユーザ操作とそのユーザ操作の入力時における不具合の状況を記した情報（以下、不具合状況情報と呼ぶ）とを含む記録を不具合レポートと呼ぶことにする。
【００１０】
この不具合レポートは、不具合状況情報が記されたユーザ操作の記録以外に、その前後の時系列なユーザ操作の記録（操作履歴情報）を含むようにしても良い。ユーザは、医用画像診断装置を再起動し、使用し続ける（ステップＳ３）。医療検査終了後、ユーザは、不具合が発生したことをサービスセンターに在籍しているサービスマンに連絡する（ステップＳ４）。サービスマンは、ユーザからの連絡を受け、病院を訪問する（ステップＳ５）。サービスマンは、ステップＳ２において作成された不具合レポートのファイルを記憶媒体等に書き込んで回収する（ステップＳ６）。サービスマンは、不具合レポートのファイルを本社に送付し、調査を依頼する（ステップＳ７）。典型的には、不具合レポートのファイルは、ネットワークを介してサービスセンターから本社に送付される。本社に在籍している技術者は、不具合レポートを利用して不具合を調査する（ステップＳ８）。そして本社からサービスセンターへ調査結果が提示される（ステップＳ９）。サービスマンは、病院を訪問し、調査結果を利用して医用画像診断装置を修理する（ステップＳ１０）。
【００１１】
このように、本実施形態に係る医用画像診断装置は、不具合の発生とともにリアルタイムに、不具合時の状況が記録された不具合レポートを作成することができる。次に本実施形態に係る医用画像診断装置の構成について説明する。この不具合レポートの作成機能は、医用画像診断装置に実装されたコンピュータにより実現される。なおこの不具合レポートの作成機能は、医用画像診断装置内のコンピュータに組み込まれることに限定されず、ワークステーション等のあらゆるコンピュータに込み込み可能である。
【００１２】
図２は、本実施形態に係る医用画像診断装置の主要機能のブロック図である。図２に示すように、本実施形態に係る医用画像診断装置は、ユーザ操作入力部１１、操作情報生成部１３、操作情報記録部１５、不具合状況情報入力部１７、不具合状況情報生成部１９、不具合状況情報記録部２１、記憶部２３、表示部２５、表示レイアウト変更要求入力部２７、表示レイアウト変更部２９、及び入出力部３１を有する。
【００１３】
ユーザ操作入力部１１は、医用画像診断装置に設けられた入力デバイスを介して種々のユーザ操作（操作イベント）を受け付ける。ユーザ操作の入力信号は、操作情報生成部１３に供給される。入力されるユーザ操作は、医用画像診断装置を利用した医療検査において入力デバイスを介して入力されるあらゆる操作イベントを含む。ただしユーザ操作は、後述するコメントの入力操作を含まないものとする。
【００１４】
操作情報生成部１３は、ユーザ操作入力部１１からの入力信号に従って、ユーザ操作入力部１１に入力されたユーザ操作の属性を表す操作情報を生成する。操作情報は、ユーザ操作ＩＤ、ユーザ操作の内容を識別するための操作識別情報、ユーザ操作が入力された時刻（操作時刻）、及びユーザ操作が属する階層を含む。ユーザ操作と操作識別情報とは、予めテーブル等で対応付けられている。操作情報生成部１３は、このテーブルを利用して、ユーザ操作入力部１１により入力されたユーザ操作から操作識別情報を生成する。操作識別情報は、具体的には、ユーザ操作の内容を端的に示すタイトル（操作名）またはタイトルの識別子を含む。以下、操作識別情報は、操作名であるとする。操作名と操作時刻との組合せは、一般的に、操作ログ（操作履歴情報）と呼ばれている。典型的には、操作情報生成部１３は、操作名と階層とを関連付けたテーブルを有している。操作情報生成部１３は、このテーブルを利用して、ユーザ操作入力部１１に入力されたユーザ操作の階層を特定する。生成された操作情報は、操作情報記録部１５と表示部２５とに供給される。
【００１５】
一種類のユーザ操作は、例えば、ボタンやスイッチ、マウス、トラックボール等の入力デバイスを介した入力操作に割り当てられた、医用画像診断装置による処理を意味する。全てのユーザ操作は、いずれかの階層に属する。階層は、ユーザ操作の詳細度を意味する。詳細度が高ければ高いほど階層は高く、逆に詳細度が低ければ低いほど階層は低いものとする。
【００１６】
以下、上述のように、ユーザ操作は、複数の階層に分けて管理されている。ユーザ操作の階層数には、制限は無く、２以上であれば幾つでも良い。また、上述のようにユーザ操作は、階層分けされていなくとも良い。なお、以下の説明を具体的に行うためユーザ操作は、４つの階層に分けられているとする。
【００１７】
図３は、階層化されたユーザ操作の一覧を示す図である。図３に示すように、第１階層に属するユーザ操作としては、例えば、患者情報閲覧のための処理の開始を示す“患者情報閲覧”や患者登録のための処理の開始を示す“患者登録”、撮像のための処理の開始を示す“Ｉｍａｇｉｎｇ”がある。第１階層に属するユーザ操作の補助操作として第２階層に属するユーザ操作がある。例えば、第１階層のユーザ操作が“患者情報”の場合、第２階層のユーザ操作としては、患者情報の閲覧画面の表示開示を示す“閲覧画面表示”や閲覧画面の表示終了を示す“閲覧画面終了”がある。また、第１階層のユーザ操作が“患者登録”の場合、第２階層のユーザ操作としては、患者情報の登録画面の表示開始を示す“患者登録画面表示”、カーソル移動を示す“カーソル移動”、患者名の入力を示す“患者名入力”がある。また、第１階層のユーザ操作が“Ｉｍａｇｉｎｇ”の場合、第２階層のユーザ操作としては、ゲインの変更を示す“ゲイン変更”、画像の保存を示す“画像保存”、アノテーションの入力開始を示す“アノテーションＳｔａｒｔ”等がある。第２階層に属するユーザ操作の補助操作として第３階層がある。第２階層のユーザ操作が“カーソル移動”の場合、第３階層のユーザ操作としては、例えば、カーソル位置の座標を示す“Ｘ１，Ｙ１”がある。第２階層が“患者名入力”の場合、第３階層のユーザ操作としては、例えば、キーボードによる文字入力を示す“キーボード入力Ａ”、“キーボード入力Ｂ”、“キーボード入力Ｃ”がある。第２階層が“ゲイン変更”の場合、第３階層のユーザ操作としては、例えば、ゲインアップ操作をしたことを示す“ゲインアップ”やゲインダウン操作をしたことを示す“ゲインダウン”がある。
【００１８】
操作情報記録部１５は、操作情報生成部１３により生成された操作情報を記憶部２３に記録する。操作情報は、操作時刻順に記録される。典型的には、操作識別情報（操作名）が操作時刻と階層とに関連付けて記憶部２３に記憶される。
【００１９】
不具合状況情報入力部１７は、入力デバイスを介して不具合状況情報の入力操作を受け付ける。不具合状況情報の入力信号は、不具合状況情報生成部１９に供給される。不具合状況情報は、ユーザ操作の不具合の状況を表現する文字列（コメント）、マーク、画像、及び選択肢の少なくとも一つを含んでいる。コメントの入力方法は、キーボードを介したテキスト入力であっても、マイク等を介した音声入力であってもよい。不具合状況情報は、ユーザ操作に関連付けて入力される。
【００２０】
不具合状況情報生成部１９は、不具合状況情報入力部１７を介してユーザ操作が入力される毎に、不具合状況情報入力部１７からの不具合状況情報の入力信号に基づいて不具合状況情報セットを生成する。不具合状況情報セットは、不具合状況情報コメントとその不具合状況情報に対応するユーザ操作ＩＤとを含む。不具合状況情報セットは、不具合状況情報記録部２１と表示部２５とに供給される。
【００２１】
不具合状況情報記録部２１は、不具合状況情報生成部１９により生成された不具合状況情報セットを記憶部２３に記録する。この際、不具合状況情報記録部２１は、不具合状況情報セットを、対応するユーザ操作に関する操作情報に関連付けて記録する。なお不具合状況情報セット内の全ての項目と操作情報の全ての項目とが関連付けて記録されなくてもよい。最低限、不具合状況情報コメントと操作識別情報（操作名）とが関連付けて記録されればよい。このような不具合状況情報セットと操作情報との組み合わせは、不具合レポートを構成する。
【００２２】
記憶部２３は、不具合状況情報セットと操作情報とを関連付けて不具合レポートとして記憶する。なお上述のように不具合レポートは、不具合状況情報セット内の全ての項目と操作情報の全ての項目とを含む必要は無い。不具合レポートは、最低限、コメント不具合状況情報と操作名とを含んでいれば良い。不具合レポートのファイルは、日単位、医用画像診断装置の起動単位、セッション単位等の所定の単位で作成される。
【００２３】
表示部２５は、ユーザ操作入力部１１を介してユーザ操作が入力される毎に、操作情報生成部１３により生成された操作名と不具合情報の入力欄とを表示画面にリアルタイムで表示する。不具合状況情報入力部１７を介して不具合状況情報が入力される毎に、表示部２５は、入力されたユーザ操作の操作名と不具合情報の入力欄とをユーザ操作毎に対応づけて表示する。コメントコメント不具合状況情報と操作名とは、視覚的に関連付けて表示される。なお視覚的に関連付けて表示するとは、ユーザが不具合状況情報コメントと操作名とを見て、この２つが関連付いていると容易に理解できるレイアウトで、不具合状況情報コメントと操作名とを表示することをいう。このレイアウトについては、後述する。表示部２５は、後述の表示レイアウト変更部２９による制御に従って表示レイアウトを変更することができる。また、表示部２５は、ユーザからの入力デバイスを介した指示がなされたことを契機として、過去に作成された不具合レポートを記憶部２３から読み出して表示することもできる。
【００２４】
表示レイアウト変更要求入力部２７は、入力デバイスを介したユーザからの表示レイアウトの変更要求を受け付ける。変更要求は、表示レイアウト変更部２９に供給される。変更要求としては、例えば、表示対象のユーザ操作の階層の切り替え要求が挙げられる。他の変更要求としては、例えば、コメント不具合状況情報の表示色や字体の変更要求が挙げられる。
【００２５】
表示レイアウト変更部２９は、表示レイアウト変更要求入力部２７を介して入力された変更要求に応じた表示レイアウトに変更するために、表示部２５を制御する。例えば、階層の切り替え要求が入力された場合、表示レイアウト変更部２９は、要求に応じた階層で操作名が表示されるように表示部２５を制御する。
【００２６】
入出力部３１は、ユーザからの入力デバイスを介した指示がなされたことを契機として、記憶部２３に記憶されている少なくとも１つの不具合レポートのファイルの中から入力デバイスを介したユーザ指定の不具合レポートのファイルを記憶媒体（図示せず）等に書き込む。医用画像診断装置がサービスセンターや本社に接続されている場合、入出力部３１は、ユーザ指定の不具合レポートのファイルをサービスセンターや本社に送信してもよい。また、入出力部３１は、記憶媒体等から不具合レポートのファイルを読み出して記憶部２３に書き込でも良い。医用画像診断装置がサービスセンターや本社に接続されている場合、入出力部３１は、不具合レポートのファイルをサービスセンターや本社から受信して記憶部２３に書き込んでも良い。
【００２７】
次に、本実施形態に係る医用画像診断装置の動作例について説明する。まずは、本実施形態の基本的な動作について説明する。
【００２８】
（実施例１）
本実施形態に係る医用画像診断装置は、医療検査に関するアプリケーションを実行しているものとする。ユーザは、医療検査を実行するために、入力デバイスを介して様々なユーザ操作を入力する。医用画像診断装置は、入力されたユーザ操作に対応する処理を実行する。
【００２９】
図４は、医療検査において表示部２５により表示される表示画面の表示レイアウトの一例を示す図である。図４に示すように、表示画面は、医療検査のアプリケーションの表示領域（以下、アプリケーション表示領域と呼ぶことにする。）Ｗ１を有している。また、表示画面は、本実施形態に係るユーザ操作の識別名の表示領域（以下、ユーザ操作表示領域と呼ぶことにする。）Ｗ２を表示している。なお、表示領域は、例えば、ウィンドウにより実現される。例えば、ユーザ操作表示領域Ｗ２は、表示画面の端部（図４の左端）に表示される。ユーザ操作表示領域Ｗ２には、操作名と不具合状況情報の入力欄ＩＢとが視覚的に関連付けて表示されている。具体的には、各操作名の下方に入力欄ＩＢが表示される。このように操作名と入力欄ＩＢとを一定のルールで視覚的に関連付けて表示することで、表示部２５は、操作名と入力欄ＩＢ内の不具合状況情報コメントとを視覚的に関連付けて表示することができる。
【００３０】
ユーザ操作入力部１１を介してユーザ操作が入力される毎に、表示部２５は、入力されたユーザ操作の操作名と入力欄ＩＢとのセットをユーザ操作表示領域Ｗ２にリアルタイムに表示する。典型的には、最新のユーザ操作の操作名と入力欄ＩＢとのセットは、表示済みのセットの下方に表示される。
【００３１】
図４のユーザ操作領域Ｗ２に表示されている操作名としては、ゲインの上昇操作を示す “ゲインアップ１”や、画像のフリーズの開始操作を示す“フリーズＯＮ”、画像の保存操作を示す“画像保存”、画像のフリーズの終了操作を示す“フリーズＯＦＦ”、アノテーションの入力開始操作を示すアノテーションＳｔａｒｔ”、ＡＢＣというアノテーションを入力したことを示す“ＡＢＣ”等がある。
【００３２】
入力欄ＩＢには、不具合状況情報入力部１７を介して入力された不具合状況情報コメントがリアルタイムに表示される。例えば、画像の保存操作がユーザ操作入力部１１を介して入力されたが、保存に時間がかかったとする。この場合、ユーザは、例えば図４に示すように、操作名“画像保存”の入力欄ＩＢに、“保存に時間がかかった”という文字列（コメント）を入力することができる。このコメントは、不具合状況情報記録部２１により操作名“画像保存”に関連付けて記憶部２３に記録される。また、例えば、 “ＡＢＣＤ”というアノテーションの入力操作がユーザ操作入力部１１を介して入力されたが、図４のアノテーション入力欄ＡＮに示すように“ＡＢＣ”しか表示されなかったとする。この場合、ユーザは、操作名“ＡＢＣ”の入力欄ＩＢに、“ＡＢＣＤと入力したが、Ｄが表示されなかった”というコメントを入力することができる。このコメントは、不具合状況情報記録部２１より識別名“ＡＢＣ”に関連付けて記憶部２３に記録される。コメントの表示色や字体を変更したい場合、ユーザにより表示レイアウト変更要求入力部２７を介して変更要求が入力される。表示レイアウト変更部２９は、表示レイアウト変更要求入力部２７からの変更要求に応じた表示色や字体でコメントが表示されるように、表示部２５を制御する。ユーザ所望の表示色や字体でコメントを表示することにより、表示部２５は、ユーザに明瞭にコメントを表示することができる。
【００３３】
表示画面には、不具合状況情報として、予め用意された複数のマークＭＡが表示されていると良い。マークＭＡは、予め予想される不具合の状況を端的に示したＧＵＩオブジェクトである。例えば、マークＭＡ１やマークＭＡ２は、不具合が起こったことを示す。マークＭＡ３は、動作速度が遅いことを示す。これらマークＭＡは、マウス等によりドラッグ・アンド・ドロップ可能に表示される。ユーザは、不具合に応じたマークＭＡをマウス等により選択し、不具合の発生したユーザ操作の操作名に対応する入力欄ＩＢまで移動し、配置する。これによりマークＭＡが不具合状況情報として利用される。マークＭＡを利用することにより文字列の入力の手間を省くことができる。
【００３４】
また、文字列の入力の手間の削減策の一つとして、不具合発生時の表示画面のキャプチャ画像ＣＡを入力欄ＩＢに配置することも可能である。具体的には、ユーザは、不具合が発生した場合、入力デバイスを介して表示画面のキャプチャ画像の生成のための指示を不具合状況情報入力部１７を介して入力する。この指示がなされたことを契機として、キャプチャ画像は、不具合状況情報生成部１９により生成される。生成されたキャプチャ画像ＣＡが表示画面に表示される。キャプチャ画像ＣＡは、マウス等によりドラッグ・アンド・ドロップ可能に表示される。ユーザは、キャプチャ画像ＣＡをマウス等により選択し、不具合の発生したユーザ操作の操作名に対応する入力欄ＩＢまで移動し、配置する。これによりキャプチャ画像ＣＡが不具合状況情報として利用される。キャプチャ画像ＣＡを利用することで、ユーザによる文字列の入力の手間を省略することができる。また、キャプチャ画像ＣＡを利用することにより、文字では伝えにくい不具合の状況を簡便にわかり易く記録することができる。なお、キャプチャ画像ＣＡは、表示画面全体の画像に限定されず、ユーザにより選択された、表示画面の一部領域の画像であってもよい。
【００３５】
また、図示はしないが入力欄ＩＢには、不具合状況情報として、ラジオボタンやチェックボックス等の選択肢が表示されてもよい。具体的には、予め予想される不具合の状況を示す文字列と選択肢とが並べて入力欄ＩＢに表示されるとよい。ユーザは、発生した不具合に対応する選択肢をマウス等を介して選択する。これにより選択肢が不具合状況情報として利用される。選択肢を利用することで文字列の入力の手間を削減することができる。
【００３６】
多くのユーザ操作が入力され、ユーザ操作表示領域Ｗ２に全ての操作名と入力欄ＩＢとのセットを配置しきれない場合、古いユーザ操作の操作名や入力欄ＩＢから順番にユーザ操作表示領域Ｗ２の表示範囲外に移動される。すなわち、古いユーザ操作の操作名や入力欄ＩＢは、ユーザ操作領域Ｗ２内に表示されなくなる。任意のユーザ操作の操作名や入力欄ＩＢを表示するために、ユーザ操作表示領域Ｗ２の右端には、スクロールバーＳＢが配置される。スクロールバーＳＢ内のスライダＳＳの位置は、ユーザ操作表示領域Ｗ２の表示範囲の位置を示している。スライダＳＳのスライド操作に応じて表示部２５は、スライダＳＳのスクロールバーＳＢ内での位置に応じた表示範囲内に配置された操作名と入力欄ＩＢ（あるいは入力欄ＩＢ内のコメント）とを表示することができる。
【００３７】
図５は、スクロールバーＳＢのスライダＳＳのスライドに伴うユーザ操作領域内の表示範囲の変化を示す図である。この場合、ユーザは、図５に示すように、所望のユーザ操作の操作名と入力欄ＩＢとが配置されている位置まで、入力デバイスを介してスライダＳＳを上方に移動する。これにより表示部２５は、過去のユーザ操作の操作名や入力欄ＩＢを表示させることができる。同様に、入力デバイスを介してスライダＳＳが下方に移動されることにより、より新しいユーザ操作の操作名や入力欄ＩＢを表示させることができる。
【００３８】
ユーザ操作入力部１１を介してユーザ操作が入力される毎に、入力されたユーザ操作の操作名、操作時刻、及び階層が操作情報記録部１５により記憶部２３に記憶される。また、入力欄ＩＢ内に入力された不具合状況情報は、対応するユーザ操作の操作名、操作時刻、及び階層に関連付けて不具合状況情報記録部２１により記憶部２３に記録される。１つのユーザ操作に関するユーザ操作ＩＤ、操作名、操作時刻、階層、及び不具合状況情報のセットが不具合レポートの１つのレコードをなす。不具合状況情報の入力が無い場合、ユーザ操作ＩＤ、操作名、操作時刻、及び階層のセットが不具合レポートの１つのレコードをなす。例えば、ユーザの１つのセッション開始から終了までに記録された全てのレコードの集合が１つの不具合レポートを構成する。このようにして不具合レポートが作成される。不具合レポートのファイルは、不具合レポートＩＤや作成日時等の識別名を有している。
【００３９】
このように作成された不具合レポートのファイルは、サービスマン等による入力デバイスを介した指示により入出力部３１により記憶媒体に書き込まれる。サービスマンや本社の技術者は、不具合レポートをもとに不具合の状況を理解し、改善策を考案する。例えば、サービスマンや本社の技術者は、上記の例で言えば、なぜＤが表示されなかったかを調査することができる。この場合、サービスマンや本社の技術者は、“ＡＢＣＤと入力したが、Ｄが表示されなかった”というコメントと“ＡＢＣ”という操作名とを見ることにより、Ｄの入力操作が記録されていないことがわかるので、ユーザがＤを入力したと勘違いしているか、あるいは、Ｄの入力スイッチを押したが、その入力信号が伝わっていないということを予想することができる。
【００４０】
（実施例２）
図４のユーザ操作領域Ｗ２には、複数のユーザ操作の操作名と入力欄ＩＢとが表示されていた。従って、表示画面に占めるユーザ操作領域Ｗ２の大きさが大きくなり、アプリケーション表示領域Ｗ１内の重要な画像や文字等がユーザ操作領域Ｗ２に隠れてしまう場合が想定される。従って、ユーザ操作表示領域Ｗ２を表示することにより、表示画面の視認性を低下してしまう虞がある。
【００４１】
実施例２に係る表示部２５は、実施例１に比して視認性の低下を減少させる表示レイアウトでユーザ操作領域を表示画面に表示する。図６は、表示画面の視認性を向上させるための表示レイアウトの一例を示す図である。なお説明のためユーザ操作領域Ｗ２´とユーザ操作領域Ｗ２との両方が図示されているが、実際にＷ２´とＷ２との両方が一度に表示されることはないものとする。
【００４２】
図６に示すように、ユーザ操作表示領域Ｗ２´は、表示画面の視認性向上のため、表示画面の隅（例えば、左上隅）に表示される。また、ユーザ操作領域Ｗ２´は、１セット分のユーザ操作の操作名と入力欄ＩＢとが表示可能な面積のみを有している。典型的には、ユーザ操作領域Ｗ２´には、最新のユーザ操作のセットが表示される。なお、実施例２の場合も実施例１と同様に、スクロールバーＳＢ内のスライダＳＳのスライド操作に応じて表示部２５は、スライダＳＳのスクロールバーＳＢ内の位置に応じたユーザ操作のセットを表示することができる。このような小面積のユーザ操作表示領域Ｗ２´を表示することで表示画面の視認性を向上することができる。
【００４３】
ユーザ操作表示領域Ｗ２´，Ｗ２の所定位置（例えば、左隅）には、大きさ切り替えボタンＢ１，Ｂ２が配置される。表示部２５は、面積の異なる２種類のユーザ操作表示領域、第１のユーザ操作表示領域Ｗ２´と第２のユーザ操作表示領域Ｗ２とを表示レイアウトとして用意している。ここで第１のユーザ操作表示領域Ｗ２´は１セット分を表示可能な面積を有しているとし、第２のユーザ操作表示領域Ｗ２は実施例１のように、複数セット分を表示可能な面積を有しているとする。切り替えボタンＢ１が押されると、第１のユーザ操作表示領域Ｗ２´から第２のユーザ操作表示領域Ｗ２へ切替される。また、切り替えボタンＢ２が押されると第２のユーザ操作表示領域Ｗ２から第１のユーザ操作表示領域Ｗ２´へと切替えられる。このように切り替えボタンＢ１，Ｂ２の押下は、表示レイアウト変更要求入力部２７による、ユーザ操作表示領域の面積の変更要求の入力に対応する。
【００４４】
なお、第１のユーザ操作表示領域Ｗ２´上の切り替えボタンＢ１の図柄と第２のユーザ操作表示領域Ｗ２上の切り替えボタンＢ２の図柄とが異なっていてもよい。例えば、切り替えボタンＢ１が“＋”マークで表示され。切り替えボタンＢ２が“−”マークで表示されるとよい。この場合、“＋”マークＢ１が押されると第１のユーザ操作表示領域Ｗ２´が第２のユーザ操作表示領域Ｗ２に拡張される。拡張後、“＋”マークＢ１は“−”マークＢ２に変更される。“−”マークＢ２が押されると第２のユーザ操作表示領域Ｗ２が第１のユーザ操作表示領域Ｂ２´まで縮小される。縮小後、“−”マークＢ１は“＋”マークＢ２に変更される。
【００４５】
このようにユーザ操作表示領域の面積を切り替え可能にすることにより、コメント入力の操作性と表示画面の視認性とのトレードオフの関係を解消させることができる。
【００４６】
（実施例３）
実施例１においては、全階層のユーザ操作に関する操作名が表示されるとした。実施例３に係る表示部２５は、選択された階層のユーザ操作に関する操作名を表示する。
【００４７】
図７は、１階層目のユーザ操作のみの表示例を示す図である。図７に示すように、ユーザ操作表示領域内のユーザ操作は、全て１階層に属している。この場合、最も詳細度の低いユーザ操作の操作名のみが表示されるので、表示部は、ユーザ操作の概要のみを表示することができる。なおコメントの記載されていない入力欄は省略している。入力欄の表示／非表示は、ユーザを介した表示レイアウト変更要求入力部からの指示に従って任意に切替可能である。また、コメントの表示／非表示も、ユーザを介した表示レイアウト変更要求入力部からの指示に従って任意に切替可能である。
【００４８】
図８は、２階層目までのユーザ操作の表示例を示す図である。図８に示すように、ユーザ操作表示領域内のユーザ操作は、１階層か２階層に属している。この場合、表示部２５は、１階層のみよりも具体的な２階層のユーザ操作の操作名を表示することができる。
【００４９】
図９は、３階層目までのユーザ操作の表示例を示す図である。図９に示すように、ユーザ操作表示領域内のユーザ操作は、１階層か２階層か３階層に属している。この場合、４階層目の詳細な表示が必要ない場合、３階層目までが表示されればよい。
【００５０】
図７、図８、及び図９に示すように、ユーザ操作表示領域Ｗ２の上部に表示対象の階層を選択するための階層ボタンＢＬが配置されている。階層ボタンＢＬは、１階層目までの操作名を表示するためのボタンＢＬ１、２階層目までの操作名を表示するためのボタンＢＬ２、３階層目までの操作名を表示するためのボタンＢＬ３、及び４階層目までの操作名を表示するためのボタンＢＬ４を有している。ボタンＢＬ１，ＢＬ２，ＢＬ３，ＢＬ４が押されることを契機として、押されたボタンに対応する階層目までの操作名がユーザ操作表示領域Ｗ２に表示される。例えば、ボタンＢｌ２が押された場合、ユーザ操作表示領域Ｗ２には、１階層目と２階層目とのユーザ操作の操作名が表示される。ボタンＢＬの押下は、表示レイアウト変更要求入力部２７による、ユーザ操作表示領域Ｗ２の表示階層の変更要求の入力に対応する。このように、ユーザ操作の操作名を階層別に選択可能にすることで、個々の状況やユーザの好みに応じて必要な情報までも明瞭に表示することができる。階層別の表示の際、表示部２５は、表示されている階層と表示されていない階層とを明瞭に把握可能なように、表示されている階層のボタンと表示されていない階層のボタンとを異なる色で表示すると良い。
【００５１】
（実施例４）
本実施形態に係る医用画像診断装置は、過去の不具合レポートを表示する機能を有している。以下、過去の不具合レポートの表示について説明する。
【００５２】
図１０は、表示部２５により表示される不具合レポートの再表示のための操作パネルＯＰの一例を示す図である。操作パネルＯＰは、例えば、表示画面等に配置されたパネル表示ボタン等を押すことにより、表示部２５により表示画面に表示される。操作パネルＯＰは、図１０に示すように、不具合レポートの一覧表示領域ＤＰ１を有している。一覧表示領域ＤＰ１には、記憶部２３又は記憶媒体に記憶されている複数の不具合レポートの識別名が一覧で表示される。不具合レポートの識別名は、例えば、図１０のように不具合レポートの作成日でもよいし、ユーザが任意に付した名称でもよい。複数の不具合レポートは、ユーザ所望の不具合レポートの特定の容易性のため、日付順に並べて一覧表示領域ＤＰ１に表示されるとよい。ユーザは、入力デバイスを介して、複数の不具合レポートの識別名の中から所望の不具合レポートの識別名を選択することができる。また、操作パネルＯＰは、一覧表示領域ＤＰ１の上部に選択レポート表示領域ＤＰ２を有している。選択レポート表示領域ＤＰ２には、一覧表示領域ＤＰ１において選択された識別名が表示される。図１０の場合、“２００１年１０月１５日”の不具合レポートが選択されている。
【００５３】
また、操作パネルＯＰには、読み込みボタンＢＰ１が配置されている。一覧表示領域ＤＰ１の中から不具合レポートの識別名が選択された状態で読み込みボタンＢＰ１が押されると表示部２５は、選択された識別名に対応する不具合レポートのファイルを記憶部２３又は記憶媒体から読み出して表示する。例えば、“２００１年１０月１５日”の不具合レポートが選択され、読み込みボタンＢＰ１が押されると、図１１に示すように、選択された“２００１年１０月１５日”の不具合レポートがユーザ操作表領域に表示される。すなわち、“２００１年１０月１５日”の不具合レポートに含まれるユーザ操作の識別名とコメントとが再生される。不具合レポートの表示中、表示部２５は、上述のように表示レイアウト変更要求入力部２７を介して表示階層を変更したり、コメントの表示色や字体を変更したりすることもできる。
【００５４】
図１２に示すように、ユーザ操作表示領域Ｗ２において不具合レポートに含まれるユーザ操作の操作名が入力デバイスを介して選択されると、選択されたユーザ操作が表示画面に再現される（操作イベントが発行される）。例えば、“ＡＢＣ”の入力に関するユーザ操作の操作名“ＡＢＣ”が選択された場合、表示部２５は、実際にアノテーションが入力された位置ＡＮに“ＡＢＣ”を表示する。
【００５５】
図１０，１１，１２に示すように、さらに操作パネルＯＰには、“前の操作”ボタンＢＰ２と“次の操作”ボタンＢＰ３とが配置されている。“前の操作”ボタンＢＰ２が押されると、選択中のユーザ操作の１つ前のユーザ操作が選択される。また、“次の操作”ボタンＢＰ３が押されると、選択中のユーザ操作の１つ後のユーザ操作が選択される。例えば、ユーザ操作“フリーズＯＦＦ”が選択されている場合に“前の操作”ボタンＢＰ２が押されると、ユーザ操作“画像保存”が選択され、“次の操作”ボタンＢＰ３が押されると、ユーザ操作“アノテーションＳｔａｒｔ”が選択される。新たにユーザ操作が選択されると、新たに選択されたユーザ操作が表示画面に再現される。
【００５６】
図１０，１１，１２に示すように、さらに操作パネルＯＰには、“再生”ボタンＢＰ４が配置されている。“再生”ボタンＢＰ４が押されると、選択されているユーザ操作から順番に自動的にユーザ操作が再現される。また、操作パネルＯＰには、“Ｃｌｏｓｅ”ボタンＢＰ５が配置されている。“Ｃｌｏｓｅ”ボタンＢＰ５が押されると、操作パネルＯＰが表示画面から消去される。
【００５７】
過去の不具合レポートの表示機能により表示部２５は、ユーザ操作の操作名と不具合状況情報とを表示するとともに、不具合発生時におけるユーザ操作を再生することができる。これによりユーザは、不具合発生時における状況を容易に思い出すことができる。サービスマンや技術者は、不具合発生時における状況を容易に理解することができる。
【００５８】
上記構成により本実施形態に係る医用画像診断装置は、ユーザ操作が発生される毎に、ユーザ操作の内容を表す操作名と不具合状況情報の入力欄とを表示画面に表示する。そしてユーザ操作に不具合があった場合、ユーザによる入力デバイスを介した指示に従って、不具合の状況を表現する文字列等の不具合状況情報トを入力欄に入力することができる。このようにして、不具合状況情報と操作名とが関連付けて記憶される。不具合状況情報と操作名とのセットは、不具合レポートとして機能する。このように本実施形態に係る医用画像診断装置は、不具合発生時の直後というユーザの記憶が鮮明なうちに、不具合状況情報をユーザ操作の操作名に関連付けて記録することができる。ユーザは、サービスマンがいなくても、不具合状況情報の入力作業や、操作名と不具合状況情報との関連付けを行うことできる。このように記録された不具合レポートをもとにサービスマンや技術者は、不具合発生時の正確な状況を得ることができ、問題解決までの時間を短縮することができる。
【００５９】
かくして、本実施形態に係る医用画像診断装置は、不具合発生時の状況を正確に伝えることが可能なとなる。
【００６０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれるものである。
【符号の説明】
【００６１】
１１…ユーザ操作入力部、１３…操作情報生成部、１５…操作情報記憶部、１７…不具合状況情報入力部、１９…不具合状況情報生成部、２１…不具合状況情報記録部、２３…記憶部、２５…表示部、２７…表示レイアウト変更要求入力部、２９…表示レイアウト変更部、３１…入出力部
【図１】
0005904770.tif 000002
【図２】
0005904770.tif 000003
【図３】
0005904770.tif 000004
【図４】
0005904770.tif 000005
【図５】
0005904770.tif 000006
【図６】
0005904770.tif 000007
【図７】
0005904770.tif 000008
【図８】
0005904770.tif 000009
【図９】
0005904770.tif 000010
【図１０】
0005904770.tif 000011
【図１１】
0005904770.tif 000012
【図１２】
0005904770.tif 000013